(57)【特許請求の範囲】
【請求項１】
切開装置用のランセットカートリッジアセンブリであって、
前記切開装置によって取外し可能に受け入れられるように適合されたカートリッジと、
前記カートリッジによって移動可能に受け入れられたランセットであり、前記ランセットに接続された穿通部材が前記切開装置の外側に露出していない第１の位置と、ある部位を切開するために前記穿通部材が前記切開装置の外側に露出した第２の位置との間を移動することができるランセットと、
前記部位を切開した後に前記ランセットを前記第１の位置に戻すためのばねと、
前記ランセットと一緒に移動するように、前記ランセットに移動可能に接続されたスリーブと
を備え、
前記ランセット、前記ばね及び前記スリーブは、前記カートリッジ内に閉じ込められることを特徴とする切開装置用のランセットカートリッジアセンブリ。
【請求項２】
前記ばねは、前記カートリッジと前記ランセットの間に接続されている
ことを特徴とする請求項１に記載の切開装置用のランセットカートリッジアセンブリ。
【請求項３】
前記カートリッジは、前記ランセットがその中を移動する穴を有し、前記穴は、前記ランセットの直径よりも大きな直径を有する収容部分を有し、
前記ランセットは、前記穴の前記収容部分内に配置されたフランジを有し、前記収容部分の長さが、前記切開装置の発射機構によって打撃されたときに前記ランセットが移動する距離を制御する
ことを特徴とする請求項１に記載の切開装置用のランセットカートリッジアセンブリ。
【請求項４】
前記ばねは、前記カートリッジと前記スリーブの間に接続されている
ことを特徴とする請求項１に記載の切開装置用のランセットカートリッジアセンブリ。
【請求項５】
前記カートリッジは、前記ランセットおよび前記スリーブがその中を移動する穴を有し、前記穴は、前記穴の直径よりも大きな直径を有する収容部分を有し、ならびに
前記スリーブは、前記穴の前記収容部分内に配置されたフランジを有し、前記収容部分の長さは、前記切開装置の発射機構によって前記スリーブが打撃されたときに前記スリーブが移動する距離を制御する
ことを特徴とする請求項４に記載の切開装置用のランセットカートリッジアセンブリ。
【請求項６】
前記スリーブの第２の端部は、前記発射機構によって打撃されるように適合され、
前記スリーブの第１の端部は、前記ランセットのフランジに当接するように適合されている
ことを特徴とする請求項５に記載の切開装置用のランセットカートリッジアセンブリ。
【請求項７】
前記ランセットは、前記スリーブの凹みの中に配置されたフランジを有する
ことを特徴とする請求項５に記載の切開装置用のランセットカートリッジアセンブリ。
【請求項８】
前記スリーブは、第1のスリーブと第２のスリーブとからなり、
前記ランセットに接続されたフランジの後方に第１のスリーブが配置され、
前記ランセットに接続されたフランジの前方に第２のスリーブが配置されている
ことを特徴とする請求項１に記載の切開装置用のランセットカートリッジアセンブリ。
【請求項９】
前記ばねは、前記カートリッジと前記第２のスリーブの間に接続されている
ことを特徴とする請求項８に記載の切開装置用のランセットカートリッジアセンブリ。
【請求項１０】
前記カートリッジは、前記ランセット、前記第１のスリーブおよび前記第２のスリーブがその中を移動する穴を有し、前記穴は、前記穴の直径よりも大きな直径を有する収容部分を有し、
前記第２のスリーブは、前記穴の前記収容部分内に配置されたフランジを有し、前記収容部分の長さは、前記切開装置の発射機構によって前記第１のスリーブが打撃されたときに前記第２のスリーブが移動する距離を制御する
ことを特徴とする請求項９に記載の切開装置用のランセットカートリッジアセンブリ。
【請求項１１】
ハウジングと、
前記ハウジングに取外し可能に接続されたカートリッジと、
前記カートリッジによって移動可能に受け入れられたランセットであり、前記ランセットに接続された穿通部材が前記ハウジングの外側に露出していない第１の位置と、ある部位を切開するために前記穿通部材が前記ハウジングの外側に露出した第２の位置との間を移動することができるランセットと、
前記部位を切開した後に前記ランセットを前記第１の位置に戻すためのばねと、
前記ランセットと一緒に移動するように、前記ランセットに移動可能に接続されたスリーブとを備え、
前記ランセット、前記ばねおよび前記スリーブは、前記カートリッジ内に閉じ込められる
ことを特徴とする切開装置。
【請求項１２】
前記ばねは、前記カートリッジと前記ランセットの間に接続されていること
を特徴とする請求項１１に記載の切開装置。
【請求項１３】
前記カートリッジは、前記ランセットがその中を移動する穴を有し、前記穴は、より大きな直径を有する収容部分を有し、
前記ランセットは、前記穴の前記収容部分内に配置されたフランジを有し、前記収容部分の長さは、前記切開装置の発射機構によって打撃されたときに前記ランセットが移動する距離を制御する
ことを特徴とする請求項１１に記載の切開装置。
【請求項１４】
前記ばねは、前記カートリッジと前記スリーブの間に接続されている
ことを特徴とする請求項１１に記載の切開装置。
【請求項１５】
前記カートリッジは、前記ランセットおよび前記スリーブがその中を移動する穴を有し、前記穴は、前記穴の直径よりも大きな直径を有する収容部分を有し、
前記スリーブは、前記穴の前記収容部分内に配置されたフランジを有し、前記収容部分の長さは、前記切開装置の発射機構によって前記スリーブが打撃されたときに前記スリーブが移動する距離を制御する
ことを特徴とする請求項１４に記載の切開装置。
【請求項１６】
突起が、前記ランセットから外方へ延び、前記カートリッジの溝穴の中に受け入れられ、前記溝穴は、前記ランセットが前記第１の位置と前記第２の位置の間を移動するにつれて前記突起を案内する
ことを特徴とする請求項１１に記載の切開装置。
【請求項１７】
請求項１ないし３のいずれかに記載されたランセットカートリッジアセンブリが装着された切開装置におけるランセット交換方法であって、
使用済みの前記ランセットを交換するために、前記切開装置から前記カートリッジを取り外すステップと、
前記カートリッジ内の使用済みの前記ランセットを新しいランセットと交換するステップと
を含むことを特徴とするランセット交換方法。
【請求項１８】
前記使用済みのランセットを交換するステップが、前記カートリッジを新しいカートリッジと交換するステップを含む
ことを特徴とする請求項１７に記載のランセット交換方法。
【発明の詳細な説明】
【技術分野】
【０００１】
本発明は、一般に、交換式ランセットを有する切開装置に関する。より詳細には、本発明は、切開装置内における切開中のランセットの移動を容易にするランセット用スリーブに関する。さらにより詳細には、本発明は、切開装置に移動可能に接続され、それによって切開装置内でのランセットの移動を容易にするランセットスリーブに関する。
【背景技術】
【０００２】
血中グルコース濃度の自己監視または他の診断検査では、使用者が、不連続なある体積の毛細管血を（通常は手指の先端から）抽出し、抽出した血液を、分析用の使い捨て要素に載せる必要がある。したがって、使用者の手指を切開して検査用の血液試料を得るための切開装置が必要である。
【０００３】
既存の切開装置は、ハウジング内に移動可能に配置されたランセットを含む。発射機構がランセットの後端を打撃し、それによってランセットに運動量を与える。ランセットは、ランセットスタイレットがハウジングから突出し使用者の皮膚に穴をあけるようにハウジング内を移動する。ランセットが発射機構に直接に取り付けられていないときには、発射機構による打撃の結果としてランセットの移動中にランセットが受けるぐらつきが増大する。さらに、発射機構の衝突によってランセットが変形することがあり、それによって衝突のエネルギーの一部が吸収され、ランセットに伝えられる運動量が小さくなることがある。このぐらつきおよび運動量の損失は切開時のランセットの移動に悪影響を与え、それによってランセットの運動の安定性および滑らかさが低下する。したがって、発射機構に直接に取り付けられていないランセットのぐらつきおよび運動量の損失を低減させまたは排除することが求められている。
【０００４】
切開後にハウジングからランセットを取り外すことも難しい。発射機構に直接に接続されたランセットでは、ランセットを発射機構から分離し、発射機構に新しいランセットを接続しなければならない。さらに、多くのハウジングでは、ランセットを取り外し装着するときにハウジングを部分的に分解し、次いで再び組み立てなければならない。さらに、ランセットを装着する方向は、発射機構の軸に沿った方向だけに限定される。したがって、簡単かつ安全にランセットを装着し切開装置から取り外すことが求められている。
【先行技術文献】
【特許文献】
【０００５】
【特許文献１】米国特許第７，１９２，４０５号明細書
【発明の概要】
【０００６】
本発明の一態様によれば、切開中に、ランセットが滑らかかつ安定的に移動する。
【０００７】
本発明の他の態様によれば、迅速かつ容易に切開アセンブリが装着され、切開装置から取り外される。
【０００８】
本発明の他の態様によれば、発射機構の移動軸に沿っていないある方向に沿って切開アセンブリが切開装置に装着可能であり、切開装置から取外し可能である。
【０００９】
本発明の実施形態に基づく切開装置は、ランセットが切開装置の発射機構に直接に接続されていないことに関連するぐらつきを大幅に低減させる切開装置を提供する。ランセットは、カートリッジによって移動可能に受け入れられ、カートリッジは、切開装置によって取外し可能に受け入れられる。ランセットは、ランセットに接続された穿通部材が露出していない第１の位置と、ある部位を切開するために穿通部材がカートリッジの外側に露出した第２の位置との間を移動することができる。その部位を切開した後にランセットを第１の位置に戻すために、カートリッジにはばねが接続されている。
【００１０】
切開装置を使用して切開する本発明の諸態様に基づく方法は、切開装置内に、移動式ランセットを収容したカートリッジを装着することを含む。このランセットを使用して、ある部位を切開する。切開装置からカートリッジを取り外し、カートリッジ内の使用済みのランセットを新しいランセットと交換する。あるいは、新しいランセットを含む新しいカートリッジを装着することもできる。
【００１１】
本発明の目的、利点および顕著な特徴は以下の詳細な説明から明白になる。以下の詳細な説明は、添付図面とともに、本発明の例示的な実施形態を開示する。
【図面の簡単な説明】
【００１２】
本発明のさまざまな実施形態の上記の利点およびその他の利点は、本発明の例示的な実施形態の以下の詳細な説明および添付図面からより明白になる。
【図１】本発明の例示的な一実施形態に基づく切開装置の斜視図である。
【図２】図１の切開装置の上面図である。
【図３】図１の切開装置の下面図である。
【図４】図３の線４−４に沿って切った図１の切開装置の断面の立面図である。
【図５】図１の切開装置の断面の斜視図である。
【図６】発射機構を示すために覆いが取り外された図１の切開装置の上面図である。
【図７】図６の切開装置の斜視図である。
【図８】図１の切開装置内に装着可能な切開カートリッジアセンブリの斜視図であり、この図ではランセットが第１の位置にある。
【図９】ランセットが第２の位置にある図８の切開カートリッジアセンブリの斜視図である。
【図１０】切開装置に接続される前の切開カートリッジの斜視図である。
【図１１】図８の切開カートリッジアセンブリの分解斜視図である。
【図１２】本発明の第２の例示的な実施形態に基づく切開カートリッジアセンブリの部分断面の立面図である。
【図１３】本発明の第３の例示的な実施形態に基づく切開カートリッジアセンブリの部分断面の立面図である。
【図１４】本発明の第４の例示的な実施形態に基づく切開カートリッジアセンブリの部分断面の立面図である。
【図１５】本発明の第５の例示的な実施形態に基づく切開カートリッジアセンブリの部分断面の立面図である。
【図１６】本発明の第６の例示的な実施形態に基づく切開カートリッジアセンブリの部分断面の立面図である。
【図１７】本発明の第７の例示的な実施形態に基づく切開カートリッジアセンブリの部分断面の立面図である。
【発明を実施するための形態】
【００１３】
図面の全体を通じて、同様の参照符号は同様の部分、構成要素および構造体を指すことが理解される。
【００１４】
図１〜図１７に示す本発明の例示的な実施形態は、ランセットが発射機構に直接に接続されていないことに関連するぐらつきを大幅に低減させる切開装置１２１を提供する。ランセット１５１は、図５および図１１に示すように、カートリッジ１６１によって移動可能に受け入れられ、カートリッジ１６１は、切開装置１２１によって取外し可能に受け入れられる。あるいは、カートリッジ１６１がランセット１５１を取外し可能に受け入れることもできる。ランセット１５１は、ランセット１５１に接続されたスタイレットまたは中空もしくは中実針などの穿通部材１５３が露出していない図４に示す第１の位置と、ある部位を切開するために穿通部材１５３がカートリッジ１６１の外側に露出した図８に示す第２の位置との間を移動することができる。その部位を切開した後にランセット１５１を第１の位置に戻すために、カートリッジ１６１にはばね１７１が接続されている。
【００１５】
切開装置１２１は、図１〜図７および図１０に示すように、開口部１２５が形成されたハウジング１２３を有する。図１および図２に示すように、切開装置の上面１２７は、ランセット１５１を安全解除するための安全解除ボタン１４３と、ランセット１５１を発射するための発射ボタン１４１とを有する。切開装置の適切な位置合せを容易にするため、ハウジング１２３には、図３および図４に示すようにフィンガグリップ１２９が接続されており、フィンガグリップ１２９は、切開装置１２１の裏面１２８に対して実質的に平行な方向に延びる。
【００１６】
図１に示すように、ハウジング開口部１２５には、リールハウジング１３１が取外し可能に配置される。リールハウジング１３１の開口１３３は、ある部位を切開するときにランセット１５１の穿通部材１５３がリールハウジング１３１を通り抜けることを可能にする。図６および図７に示すように、リールハウジング１３１内には感知ストリップ１３４が配置されており、感知ストリップ１３４は、ある部位を切開するためにランセット１５１が発射されたときに切開位置から取得位置へ移動する。取得位置では、切開された部位から血液が抜き取られて感知ストリップ１３４の毛細管を満たす。毛細管が満たされると感知ストリップ１３４はさらに前進し、次いで、集められた情報が処理され、所望の出力が生成される。次いで感知ストリップ１３４は次の切開位置へ進む。このような毛細管技術の詳細は、その全体が参照によって本明細書に組み込まれる特許文献１に記載されている。
【００１７】
図４および図５に示すように、カートリッジ１６１は、スリーブ１８１およびランセット１５１を受け入れるための穴１６３を有する。図４に示すように、第２の端部１６２における穴１６３の外径は第１の端部１６４における穴１６３の直径よりも大きい。穴１６３の第２の端部１６２の直径の方が大きいのは、スリーブ１８１およびランセット１５１の挿入および取外しを容易にするためである。穴１６３の第１の端部１６４のより小さな直径は、切開装置１２１の発射機構によって打撃されたときに、スリーブ１８１およびランセット１５１がカートリッジから押し出されることを防ぐ。
【００１８】
図４および図５に示すように、ばね１７１は、ランセットフランジ１５５と係合する第１の端部１７３およびカートリッジ１６１と係合する第２の端部を有する。ばね１７１は、穿通部材１５３が切開装置１２１の外側に露出していない図８に示す第１の位置にランセット１５１をバイアスする。
【００１９】
図１１に示すように、スリーブ１８１は、ランセット１５１の第２の胴体部分１５８を受け入れる開口１８３を第１の端部１８２に有する。ランセットフランジ１５５は第１の端部１８２に当接し、ランセットがスリーブ１８１にさらに挿入されることを防ぐ。スリーブ１８１の外面１８４から外方へ少なくとも１つの突起１８５が延びる。スリーブ１８１の第２の端部１８７には溝１８８が形成されている。
【００２０】
図８、図９および図１１に示すように、ランセット１５１の移動方向に対して平行な方向に溝穴１６７が延びる。カートリッジ１６１の外面１６６の穴１６３の第２の端部１６２に近い位置から接続溝穴１６９まで入口溝穴１６８が延び、接続溝穴１６９は、入口溝穴１６８を溝穴１６７に接続する。スリーブ１８１を穴１６３に挿入すると、スリーブ突起１８５が入口溝穴１６８の中を移動する。入口溝穴１６８の端に到達したら、スリーブ１８１の第２の端部１８７の溝１８８に工具を挿入してスリーブを回転させる。この回転によって、突起１８５は接続溝穴１６９を通って溝穴１６７まで移動する。次いで、ばね１７１が、溝穴１６７の中の突起１８５を後方へ押すことによってスリーブ１８１を後方へバイアスし、それによってカートリッジ１６１の穴１６３の中にスリーブ１８１を固定する。
【００２１】
図１１に示すように、ランセット１５１は、その周囲に沿ってフランジ１５５が延びる外面１５２を有する。フランジ１５５からランセット１５１の第１の端部１５７まで第１の胴体部分１５６が延びる。ランセット１５１の第１の端部１５７から外方へ穿通部材１５３が延びる。フランジ１５５からランセット１５１の第２の端部１５９まで第２の胴体１５８部分が延びる。
【００２２】
組立ておよび操作
図１０に示すように、ハウジング開口部１２５にリールハウジング１３１を挿入する。ハウジング１２３とリールハウジング１３１の間に、カートリッジ１６１を受け入れるための空洞１２４が形成される。空洞１２４内には、カートリッジ１６１のレール１６０を受け入れるための溝１２２が形成されている。
【００２３】
カートリッジ１６１を挿入する準備のため、ランセット１５１の第１の胴体部分１５６上に、ばね１７１を、ばね１７１の第１の端部１７３がランセットフランジ１５５に当接するように配置する。ランセット１５１の第２の胴体部分１５８上に、スリーブ１８１を、スリーブの第１の端部１８２がランセットフランジ１５５に当接するように挿入する。次いで、このランセットアセンブリを、カートリッジ穴１６３に、スリーブ突起１８５が入口溝穴１６８に入るように挿入する。スリーブ突起１８５が入口溝穴１６８の端に当接したら、スリーブ溝穴１８８にねじ回しなどの工具を挿入するなどして、スリーブ１８１を、突起１８５が接続溝穴１６９を通って溝穴１６７に入るように回転させる。そのようにすると、図８に示すように突起１８５が溝穴の後端１９４まで移動するように、ばね１７１が、ランセット１５１およびスリーブ１８１を後方へバイアスする。ばね１７１の第２の端部１７５は、図４に示すようにカートリッジ穴の内面１７０に当接し、それによってランセット１５１およびスリーブ１８１を後方へバイアスする。溝穴１６７によって受け入れられた突起１８５はさらに、ランセット１５１およびスリーブ１８１をカートリッジ１６１内に閉じ込める。
【００２４】
次いで、図１、図５および図７に示すようにカートリッジ１６１を空洞１２４に挿入する。カートリッジレール１６０が溝１２２と係合して、空洞１２４内においてカートリッジの位置合せをする。カートリッジ１６１を空洞１２４に完全に挿入すると、図５に示すように、カートリッジ１６１の底面１９０がリールハウジング１３１の表面１３２に当接し、カートリッジ１６１の肩部１９２がハウジング１２３の上面１２７に当接する。切開する前、ランセット１５１は図８に示す第１の位置にある。
【００２５】
ある部位を切開するときには、安全解除ボタン１４３を軌道１４５上で後方へスライドさせて、発射機構を安全解除する。図７に示すように、安全解除ボタン１４３にはキャリッジ１９５が接続されており、キャリッジ１９５は、安全解除ボタン１４３と一緒に後方へスライドする。キャリッジ１９５に移動可能に接続されたプランジャロッド１９７上に、発射ばね１９６が配置されている。キャリッジ１９５が後方へ移動することによってばね１９６は圧縮される。プランジャロッド１９７の肩部１９８がキャリッジ１９５の壁１１０に当接し、この壁１１０は、プランジャロッド１９７およびばね１９６をキャリッジ１９５と一緒に後方へ移動させる。
【００２６】
図５および図６に示すように，発射ボタン１４１を押し下げて、スリーブ１８１の第２の端部１８７内へプランジャロッド１９７を発射する。接続アーム１１１が発射ボタン１４１をキャリッジ壁１１０に接続している。キャリッジ１９５と接続アーム１１１の間にはロッド１１２が延びる。接続アーム１１１の溝穴１１３がロッド１１２の端部１１４を受け入れている。切開装置１２１を作動させる準備が整い、ある部位を切開するときには、切開部位に開口１３３（図１）を配置する。発射ボタン１４１を押し下げる。それによって接続アーム１１１がロッド１１２を持ち上げ、ロッド１１２がキャリッジ壁１１０を持ち上げる。壁１１０が持ち上げられると、キャリッジ壁がもはやプランジャロッド１９７の移動を妨げないように、壁開口１９９（図７）がプランジャロッド肩部１９８と整列する。圧縮されたばね１９６が、プランジャロッド１９７を、プランジャロッドがスリーブ１８１の第２の端部１８７を打撃するように、前方へ移動させる。
【００２７】
スリーブ１８１が前方へ移動すると、スリーブの第１の端部１８２とランセットフランジ１５５との間の係合によってランセット１５１が前方へ移動する。スリーブ１８１の移動は、溝穴１６７の中を第１の位置（図８）から第２の位置（図９）へ移動する突起１８５によって案内される。ランセット１５１は、ランセットの穿通部材１５３が開口１３３を通り抜け切開部位を切開するように、カートリッジ穴の第１の端部１６４に向かって移動する。次いで、ばね１７１が伸びてその最初の形状に戻り、それにより切開装置ハウジング１２３内の非露出位置まで穿通部材１５３が後退して、穿通部材による偶発的な突き刺しを防ぐ。スリーブ１８１は、ランセットを正確に移動させるためのまっすぐで滑らかな経路を提供することにより、切開手技中のランセット１５１のぐらつきを実質的に防ぐ。
【００２８】
図１０に示すように、カートリッジ１６１を空洞の外に引き上げて、切開装置１２３からカートリッジを取り外す。カートリッジ１６１を取り外す方向は、切開手技中にランセット１５１が移動する方向に対して実質的に垂直である。さらに、他の構成要素を操作する必要なしにハウジング１２３からカートリッジが簡単に引き出されるように、カートリッジ１６１は発射機構に直接に接続されていない。スリーブの溝１８８を回転させて、突起１８５を、カートリッジからスリーブおよびランセットを取り外すことができるように、溝穴１６７、１６９および１６８の外へスライドさせる。使用済みのランセット１５１を新しいランセットと交換する。前述のとおり、カートリッジ１６１と切開装置１２１は容易に組み立て直すことができる。あるいは、使用後にランセット１５１を手で扱う必要がないように、カートリッジ１６１全体を取り外し、適切に廃棄することもできる。次いで、この場合も装着する際にランセット１５１を手で扱わないように、新しいカートリッジ１６１を切開装置１２３に挿入することができる。
【００２９】
切開カートリッジの追加の例示的な実施形態
切開カートリッジの以下の例示的ないくつかの実施形態は、図１０に示した切開装置１２１の空洞１２４の中に受け入れられるように適合されている。以下のそれぞれの例示的な実施形態において、ランセット１５１は実質的に同一である。
【００３０】
図１０に示すように、本発明の第２の例示的な実施形態に基づくランセットカートリッジアセンブリ２０１は、カートリッジ２２１内に移動可能に配置されたランセット１５１を含む。ランセット１５１は第１の端部１５７および第２の端部１５９を有する。第１の端部１５７から外方へ穿通部材１５３が延びる。ランセット１５１の外面１５２から外方へフランジ１５５が延びる。フランジ１５５は、一体型アセンブリとしてランセット２１１と一体に形成されることが好ましい。
【００３１】
カートリッジ２２１は、切開装置の発射機構によって打撃されたときにランセット１５１がその中を移動する貫通穴２２３を有する。ランセット１５１のフランジ１５５を収容するため、貫通穴２２３の収容部分２２５は、貫通穴の他の部分よりも大きな直径を有する。収容部分２２５は、第１の端部２２７、およびランセット１５１の移動を制限する第２の端部２２９を有する。ランセットフランジ１５５と収容部分２２５の第２の端部２２９の間にばね２３１が接続されている。
【００３２】
ランセット１５１は、穿通部材１５３がカートリッジ２２１内に配置されており、穿通部材１５３が、カートリッジが配置された切開装置１２１に関して露出していない図１２に示す第１の位置と、ある部位を切開するために穿通部材がカートリッジから突出した第２の位置との間を移動することができる。第１の位置では、ばね２３１が、ランセットフランジ１５５を、カートリッジ２２１の収容部分２２５の第１の端部２２７に向かって押す。発射機構によってランセット１５１の第２の端部１５９が打撃されると、ランセット１５１の（図１２における右方への）移動が、ばね２４１を、その部位を切開した後にこのばねによってランセットが第１の位置に戻るように圧縮する。収容部分２２５の第２の端部２２９は、打撃されたランセット１５１の移動を制限する。カートリッジ２２１は、ランセットが発射機構によって打撃されたときにカートリッジの移動が妨げられるように、切開装置１２１内に固定されている。カートリッジ穴２２３は、ランセットを正確に移動させるためのまっすぐで滑らかな経路を提供することにより、切開手技中のランセット１５１のぐらつきを実質的に防ぐ。
【００３３】
図１３に示すように、本発明の第３の例示的な実施形態に基づくランセットカートリッジアセンブリ３０１は、カートリッジ３２１内に移動可能に配置されたランセット１５１を含む。カートリッジ３２１は、切開装置１２１の発射機構によってスリーブ３３１が打撃されたときにランセット１５１がその中を移動する貫通穴３２３を有する。ランセットフランジ１５５を収容するため、貫通穴３２３の収容部分３２５は、貫通穴の他の部分よりも大きな直径を有する。収容部分３２５は、第１の端部３２７、およびスリーブ３３１のフランジ３３５の移動を制限する第２の端部３２９を有する。スリーブフランジ３３５と収容部分３２５の第２の端部３２９の間にばね３７１が接続されている。スリーブ３３１の穴３３８は、スリーブの第１の端部３３７がランセットフランジ１５５に当接するようにランセット１５１を受け入れる。スリーブ３３１とランセット１５１の間には、ランセットがスリーブと一緒に移動するような態様の締りばめが形成されることが好ましい。
【００３４】
ランセット１５１は、穿通部材１５３がカートリッジ３２１内に配置された図１３に示す第１の位置と、ある部位を切開するために穿通部材がカートリッジ３２１から突出した第２の位置との間を移動する。第１の位置では、ばね３７１が、スリーブフランジ３３５を、カートリッジ３２１の収容部分３２５の第１の端部３２７に向かって押す。発射機構によってスリーブ３３１の第２の端部３３９が打撃されると、スリーブ３３１は図１３における右方へ移動し、この移動はさらに、ばね３７１を、その部位を切開した後にこのばねによってスリーブおよびランセットが第１の位置に戻るように圧縮する。収容部分３２５の第２の端部３２９は、打撃されたスリーブ３３１の移動を制限する。カートリッジ３２１の内面３２２はランセット１５１の移動を制限する。カートリッジ３２１は、ランセットが発射機構によって打撃されたときにカートリッジの移動が妨げられるように、切開装置１２１内に固定されている。カートリッジ穴３２３およびスリーブ３３１は、ランセットを正確に移動させるためのまっすぐで滑らかな経路を提供することにより、切開手技中のランセット１５１のぐらつきを実質的に防ぐ。
【００３５】
図１４に示すように、本発明の第４の例示的な実施形態に基づくランセットカートリッジアセンブリ４０１は、カートリッジ４２１内に移動可能に配置されたランセット１５１を含む。カートリッジ４２１は、切開装置１２１の発射機構によって第１のスリーブ４３１が打撃されたときにランセット１５１がその中を移動する貫通穴４２３を有する。第２のスリーブ４４１の第１のフランジ４４３を収容するため、貫通穴４２３の収容部分４２５は、貫通穴の他の部分よりも大きな直径を有する。収容部分４２５は、第１の端部４２７、および第２のスリーブ４３１の第１のフランジ４４３の移動を制限する第２の端部４２９を有する。第２のスリーブフランジ４４３と収容部分４２５の第２の端部４２９の間にばね４７１が接続されている。第１のスリーブ４３１の穴４３８は、第１のスリーブの第１の端部４３７がランセットフランジ１５５に当接するようにランセット１５１を受け入れる。第１のスリーブ４３１とランセット１５１の間には、ランセットが第１のスリーブと一緒に移動するような態様の締りばめが形成されることが好ましい。第２のスリーブ４４１は、第２のスリーブがランセットおよび第１のフランジと一緒に移動するようにランセットフランジ１５５の反対側の面と係合する第２のフランジ４４５を有する。
【００３６】
ランセット１５１は、穿通部材１５３がカートリッジ４２１内に配置された図１４に示す第１の位置と、ある部位を切開するために穿通部材がカートリッジ４２１から突出した第２の位置との間を移動する。第１の位置では、ばね４７１が、第２のスリーブの第１のフランジ４４３を、カートリッジ４２１の収容部分４２５の第１の端部４２７に向かって押し、それによってランセット１５１および第１のスリーブ４３１も後方へ押す。発射機構によって第１のスリーブ４３１の第２の端部４３９が打撃されると、スリーブ４３１は図１４における右方へ移動し、この移動はさらに、ばね４７１を、その部位を切開した後にこのばねによって第２のスリーブ、したがってランセット１５１および第１のスリーブ４３１が第１の位置に戻るように圧縮する。収容部分４２５の第２の端部４２９は、第２のスリーブ４４１の打撃された第１のフランジ４４３の移動を制限する。カートリッジ４２１は、ランセットが発射機構によって打撃されたときにカートリッジの移動が妨げられるように、切開装置１２１内に固定されている。カートリッジ穴４２３ならびに第１および第２のスリーブ４３１および４４１は、ランセットを正確に移動させるためのまっすぐで滑らかな経路を提供することにより、切開手技中のランセット１５１のぐらつきを実質的に防ぐ。
【００３７】
図１５に示すように、本発明の第５の例示的な実施形態に基づくランセットカートリッジアセンブリ５０１は、カートリッジ５２１内に移動可能に配置されたランセット１５１を含む。カートリッジ５２１は、切開装置１２１の発射機構によって打撃されたときにランセット１５１がその中を移動する貫通穴５２３を有する。貫通穴５２３は、第１、第２および第３の部分５２４、５２６および５２８を有し、それらのそれぞれの部分の直径は次第に小さくなる。第１の部分５２４はスリーブ５３１を受け入れる。第１の部分５２４とスリーブ５３１の間には締りばめが形成されることが好ましい。スリーブ５３１の穴５３３は、ランセットフランジ１５５がスリーブ５３１の第２の端部５３７に当接するように、ランセット１５１のフランジ１５５よりも後方の部分を移動可能に受け入れる。ランセットフランジ１５５は、穴５２３の第２の部分５２６内に移動可能に受け入れられる。穴５２３の第２の部分５２６と第３の部分５２８の間の第１の肩部５２７はランセットフランジ１５５の移動を制限する。ランセットフランジ１５５と肩部５２７の間にばね５７１が接続されている。
【００３８】
ランセット１５１は、穿通部材１５３がカートリッジ５２１内に配置された図１６に示す第１の位置と、ある部位を切開するために穿通部材がカートリッジ５２１から突出した第２の位置との間を移動する。第１の位置では、ばね５７１が、ランセットフランジ１５５を、スリーブ５３１の第２の端部５３７に向かって後方へ押す。スリーブ５３１の第１の端部５３５およびランセット１５１の第２の端部１５９が発射機構によって打撃される。穴５２３の第１の部分５２４と第２の部分５２６の間の第２の肩部５２９がスリーブ５３１の移動を防ぐ。ランセット１５１は図１５における左方へ移動し、この移動はさらに、ばね５７１を、その部位を切開した後にこのばねによってランセットが第１の位置に戻るように圧縮する。第１の肩部５２７は、ランセットフランジ１５５の直径よりも小さな直径を有することにより、打撃されたランセット１５１の移動を制限する。カートリッジ５２１は、ランセットが発射機構によって打撃されたときにカートリッジの移動が妨げられるように、切開装置１２１内に固定されている。カートリッジ穴５２３およびスリーブ５３１は、ランセットを正確に移動させるためのまっすぐで滑らかな経路を提供することにより、切開手技中のランセット１５１のぐらつきを実質的に防ぐ。
【００３９】
図１６に示すように、本発明の第６の例示的な実施形態に基づくランセットカートリッジアセンブリ６０１は、カートリッジ６２１内に移動可能に配置されたランセット１５１を含む。カートリッジ６２１は、切開装置１２１の発射機構によって打撃されたときにランセット１５１およびスリーブ６３１がその中を移動する貫通穴６２３を有する。貫通穴６２３は、第１、第２および第３の部分６２４、６２６および６２８を有し、それらのそれぞれの部分の直径は次第に小さくなる。第１の部分６２４はスリーブ６３１およびランセット１５１を受け入れる。スリーブ６３１の穴６３３はランセット１５１を動かないように受け入れる。穴６３３の収容部分６３４はランセットフランジ１５５を受け入れる。スリーブ６３１は、スナップ留め具６３２を有する第１の胴体部分および第２の胴体部分を、第１の胴体部分と第２の胴体部分を一体にスナップ留めするために有することができ、それによってスリーブ６３１内へのランセット１５１の配置を容易にすることができる。この第１および第２の胴体部分にキャップ６３９をねじ留めすることができる。
【００４０】
穴６２３の第２の部分６２６は、ランセット１５１のフランジ１５５よりも前方の部分を受け入れるようにサイズが決められる。穴６２３の第２の部分６２６の直径はスリーブ６３１の直径よりも小さく、それによってスリーブが第２の部分６２６を通過することを防ぐ。穴６２３の第１の部分６２４と第２の部分６２６の間の肩部６２２とスリーブ６３１の第１の端部６３６の間にばね６７１が接続されている。
【００４１】
ランセット１５１は、穿通部材１５３がカートリッジ６２１内に配置された図１６に示す第１の位置と、ある部位を切開するために穿通部材がカートリッジ６２１から突出した第２の位置との間を移動する。第１の位置では、ばね６７１が、スリーブ６３１、したがってランセット１５１を、カートリッジ開口６５１から遠ざかる方向へ押す。発射機構によってスリーブ６３１のキャップ６３９が打撃されると、スリーブ６３１は図１６における左方へ移動し、この移動はさらに、ばね６７１を、その部位を切開した後にこのばねによってスリーブおよびランセットが第１の位置に戻るように圧縮する。穴６２３の肩部６２２は、打撃されたスリーブ６３１の移動を制限する。カートリッジ６２１は、ランセットが発射機構によって打撃されたときにカートリッジの移動が妨げられるように、切開装置１２１内に固定されている。カートリッジ穴６２３およびスリーブ６３１は、ランセットを正確に移動させるためのまっすぐで滑らかな経路を提供することにより、切開手技中のランセット１５１のぐらつきを実質的に防ぐ。
【００４２】
図１７に示すように、本発明の第７の例示的な実施形態に基づくランセットカートリッジアセンブリ３０１は、カートリッジ７２１内に移動可能に配置されたランセット１５１を含む。カートリッジ７２１は、切開装置１２１の発射機構によって打撃されたときにランセット１５１およびスリーブ７３１がその中を移動する貫通穴７２３を有する。貫通穴７２３は、第１、第２および第３の部分７２４、７２６および７２８を有し、それらのそれぞれの部分の直径は次第に小さくなる。第１の部分７２４はスリーブ７３１およびランセット１５１を受け入れる。スリーブ７３１の開口７３３はランセット１５１を動かないように受け入れる。開口７３３の収容部分７３４はランセットフランジ１５５を受け入れる。カートリッジ７２１は、切開装置１２１の発射機構によってスリーブ７３１が打撃されたときにランセット１５１およびスリーブ７３１がその中を移動する貫通穴７２３を有する。スリーブ７３１のフランジ７３５を収容するため、貫通穴７２３の収容部分７２５は、貫通穴の他の部分よりも大きな直径を有する。収容部分７２５は、第１の端部７２７、およびスリーブフランジ７３５の移動を制限する第２の端部７２９を有する。第１の部分７２４と第２の部分７２６の間の肩部７２２は、スリーブ７３１の第１の端部７３０の直径よりも小さな直径を有することにより、スリーブ７３１の前方への移動を制限する。スリーブ７３１の第１の端部７３０と穴７２３の肩部７２２の間にばね７７１が接続されている。
【００４３】
ランセット１５１は、穿通部材１５３がカートリッジ７２１内に配置された図１７に示す第１の位置と、ある部位を切開するために穿通部材が開口７２０を通ってカートリッジ７２１から突出した第２の位置との間を移動する。第１の位置では、ばね７７１が、スリーブフランジ７３５を、カートリッジ穴７２３の収容部分７２５の第１の端部７２７に向かって押す。発射機構によってスリーブ７３１の第２の端部７３９が打撃されると、スリーブ７３１は図１７における左方へ移動し、この移動はさらに、ばね７７１を、その部位を切開した後にこのばねによってスリーブおよびランセットが第１の位置に戻るように圧縮する。収容部分７２５の第２の端部７２９は、打撃されたスリーブ７３１のフランジ７３５の移動を制限する。さらに、肩部７２２が、スリーブ７３１の移動を制限するのを助ける。カートリッジ７２１は、ランセットが発射機構によって打撃されたときにカートリッジの移動が妨げられるように、切開装置１２１内に固定されている。カートリッジ穴７２３およびスリーブ７３１は、ランセットを正確に移動させるためのまっすぐで滑らかな経路を提供することにより、切開手技中のランセット１５１のぐらつきを実質的に防ぐ。
【００４４】
あるいは、図１３〜図１７に示したそれぞれの実施形態において、ランセットとスリーブを、単一の部片として一体に形成することができる。
【００４５】
以上に記載した実施形態および利点は、単に例示だけが目的であり、以上の実施形態および利点を本発明の範囲を限定するものと解釈すべきではない。本発明の例示的な実施形態の説明は、例を挙げることが意図されており、本発明の範囲を限定することは意図されていない。当業者にはさまざまな変更形態、代替形態および改変形態が明白であり、それらの変更形態、代替形態および改変形態は、添付の特許請求の範囲およびそれらの等価物の中で定義された本発明の範囲に含まれることが意図されている。
【図１】
0005969518.tif 000002
【図２】
0005969518.tif 000003
【図３】
0005969518.tif 000004
【図４】
0005969518.tif 000005
【図５】
0005969518.tif 000006
【図６】
0005969518.tif 000007
【図７】
0005969518.tif 000008
【図８】
0005969518.tif 000009
【図９】
0005969518.tif 000010
【図１０】
0005969518.tif 000011
【図１１】
0005969518.tif 000012
【図１２】
0005969518.tif 000013
【図１３】
0005969518.tif 000014
【図１４】
0005969518.tif 000015
【図１５】
0005969518.tif 000016
【図１６】
0005969518.tif 000017
【図１７】
0005969518.tif 000018